(57)【特許請求の範囲】
【請求項１】
特定入賞口への入賞により可変表示装置を稼動させ、該可変表示装置の表示図柄が特定の組み合わせになった場合に、可変入賞口を一定期間開成させ、入賞の容易な特別状態を発生させるようにしたパチンコ機において、
前記可変表示装置は円形状の液晶表示部を備え、該円形状の液晶表示部は円形の中心を同心とする大小の円により３つに分割された表示領域からなり、該分割された表示領域に分解された図柄を前記３つに分割された表示領域それぞれ表示し、
前記特定入賞口への入賞を契機に、前記３つに分割された表示領域の図柄の各々が他の２つの表示図柄に対してそれぞれ相対回転するように可変表示し、各表示図柄が所定の相対角度位置に停止して各表示図柄が特定の組み合わせになった場合に、前記特別状態にする制御部を備え、
前記円形状の液晶表示部の外周に、可変入賞口を開成させる回数を表すラウンド数を複数種表示するラウンド数抽選欄を設け、
前記円形液晶表示部の前記分割された表示領域の外側の表示領域に、前記ラウンド数を指示する指定部を表示し、
前記制御部は、前記分割された表示領域の各図柄が所定の相対角度位置に停止して各図柄が特定の組み合わせになった際に、前記指定部が指示するラウンド数をラウンド確定数とするように構成したことを特徴とするパチンコ機。
【発明の詳細な説明】
【０００１】
【産業上の利用分野】
本発明は、特定入賞口への入賞により可変表示装置を稼動させ、該可変表示装置の表示図柄が特定の組み合わせになった場合に、可変入賞口を一定期間開成させ、入賞の容易な特別状態を発生させるようにしたパチンコ機に関する。
【０００２】
【従来の技術】
従来のパチンコ機としては、例えば、可変表示装置の表示図柄が特定の組み合わせになり、可変入賞装置が作動して通常より相対的に高い確率で入賞が行なえる特別状態が発生するようにしたいわゆるフィーバー機が存在している。
そして、可変表示装置が３つの表示図柄をそれぞれ回転表示するなどして、遊技者の興趣を高める配慮がなされている。
【０００３】
【発明が解決しようとする課題】
しかしながら、このような従来のパチンコ機では、各パチンコ機において、特別状態になるまでの過程が大きく異なることがなく、ほぼ同じであり、例えば、新たに、別種のパチンコ機に代えて遊技しても、新たな興趣を呼び起こすことがなく、遊技性が高まらないという問題点があった。
本発明は、このような従来の問題点に着目してなされたもので、特別状態になるまでの過程を目新しくして、遊技者の興趣を呼び起こし、遊技性を高めることができるようにしたパチンコ機を提供することを目的としている。
【０００４】
【課題を解決するための手段】
かかる課題を解決するための本発明の要旨とするところは、
１  特定入賞口（１５）への入賞により可変表示装置（１８）を稼動させ、該可変表示装置（１８）の表示図柄が特定の組み合わせになった場合に、可変入賞口を一定期間開成させ、入賞の容易な特別状態を発生させるようにしたパチンコ機において、
前記可変表示装置（１８）は円形状の液晶表示部を備え、該円形状の液晶表示部は円形の中心を同心とする大小の円により３つに分割された表示領域からなり、該分割された表示領域に分解された表示図柄（１８ａ，１８ｂ，１８ｃ）を前記３つに分割された表示領域それぞれに表示し、
前記特定入賞口（１５）への入賞を契機に、前記３つに分割された表示領域の表示図柄（１８ａ，１８ｂ，１８ｃ）の各々が他の２つの表示図柄（１８ａ，１８ｂ，１８ｃ）に対してそれぞれ相対回転するように可変表示し、各表示図柄（１８ａ，１８ｂ，１８ｃ）が所定の相対角度位置に停止して各表示図柄（１８ａ，１８ｂ，１８ｃ）が特定の組み合わせになった場合に、前記特別状態にする制御部（１３）を備え、
前記円形状の液晶表示部の外周に、可変入賞口を開成させる回数を表すラウンド数を複数種表示するラウンド数抽選欄（１７）を設け、
前記円形液晶表示部の前記分割された表示領域の外側の表示領域に、前記ラウンド数を指示する指定部（１９）を表示し、
前記制御部（１３）は、前記分割された表示領域の各図柄が所定の相対角度位置に停止して各図柄が特定の組み合わせになった際に、前記指定部（１９）が指示するラウンド数をラウンド確定数とするように構成したことを特徴とする記載のパチンコ機。
【０００８】
【作用】
特定入賞口（１５）へ入賞すると、円形状の液晶表示部中の大小の同心円で分割された３つの表示領域の分割された表示図柄（１８ａ，１８ｂ，１８ｃ）が回転可変表示して、３つの表示図柄（１８ａ，１８ｂ，１８ｃ）が回転停止する。制御部（１３）は、３つの表示図柄（１８ａ，１８ｂ，１８ｃ）が揃った場合に、可変入賞口を入賞し易く開成させた特別状態にする。このような特別状態が発生するまでの過程において表示図柄が揃うまで、遊技者は大きな興味となり、遊技の趣向を増すことができる。
【０００９】
また前記円形状の液晶表示部の外周に、可変入賞口を開成させる回数であるラウンド数を複数種表示するラウンド数抽選欄（１７）を設け、前記円形液晶表示部の前記分割された表示領域の外側の表示領域の表示図柄（１８ａ）に、前記ラウンド数を指示する指定部（１９）を表示し、前記制御部（１３）は、前記分解された各表示図柄（１８ａ，１８ｂ，１８ｃ）が所定の相対角度位置に停止して分解された各表示図柄（１８ａ，１８ｂ，１８ｃ）が特定の組み合わせになった際に、前記指定部（１９）が指示するラウンド数をラウンド確定数とするよう構成しているので、ラウンド数が初めから一定かつ確定的でなく、分解された各表示図柄（１８ａ，１８ｂ，１８ｃ）が特定の組み合わせになった特別状態になった際に、始めて指定部（１９）が指示するラウンド数をラウンド確定数とするため、遊技者は大きな期待をもって、特別状態および最多のラウンド数を獲得しようとし、興趣を高めることができる。
【００１２】
【実施例】
以下、図面に基づき本発明の一実施例を説明する。各図は本発明の一実施例を示している。図１および図４〜図６に示すように、本実施例にかかるパチンコ機１０は、その盤面１２に特定入賞口１５が開設され、特定入賞口１５の上方には可変表示装置１８が設けられている。可変表示装置１８は、円形状の液晶表示部を備え、円形の中心を同心とする大小の円により分割された表示領域の外側から順に表示図柄１８ａ，１８ｂ，１８ｃを有している。各分割された表示領域の表示図柄１８ａ，１８ｂ，１８ｃには、図６に示すように、全体で一つのキャラクタ図柄となるべきものが部分的に分解されて描かれている。各分割された表示領域の表示図柄１８ａ，１８ｂ，１８ｃは、それぞれが可変表示する液晶パネルである。
【００１３】
円形状の表示部の外周、すなわち、分割された表示領域の最外側の表示図柄１８ａの外周には、可変入賞口を開成させる回数であるラウンド数を複数種表示するラウンド数抽選欄１７が設けられている。ラウンド数抽選欄１７は周方向へ１２分割され、分割された各部位には、星印、丸印、および、無印の順にラウンド数がそれぞれ表示されている。星印、丸印、無印の各ラウンド数は、「２４」、「１６」および「８」にそれぞれ成っている。一方、分割された表示領域の最外側の表示図柄１８ａには、前記ラウンド数を指示する指定部（矢印）が表示されている。
制御部１３は、特定入賞口１５への入賞により可変表示装置１８を駆動制御するものであるが、３つの表示図柄１８ａ，１８ｂ，１８ｃは、分割された表示領域の最外側および最内側の表示図柄１８ａ，１８ｃを図５において反時計方向へ回転し、かつ、中側の分割された表示領域の表示図柄１８ｂが同じく図５において時計方向へ回転制御する。３つの分割された表示領域の表示図柄１８ａ，１８ｂ，１８ｃの動作は、これに限らず、３つの表示図柄１８ａ，１８ｂ，１８ｃの各々が他の２つの表示図柄に対してそれぞれ相対回転するように可変表示されればよい。
また、制御部１３は、前記分割された表示領域の各表示図柄１８ａ，１８ｂ，１８ｃが所定の相対角度位置に停止して各分割された表示領域の表示図柄１８ａ，１８ｂ，１８ｃが図６に示すように、特定の組み合わせになった際に、特定組み合わせの状態を維持して分割された表示領域の表示図柄１８ａ，１８ｂ，１８ｃを再稼動して、稼動停止し、最外側の表示図柄１８ａの指定部１９が指示するラウンド数をラウンド確定数とするよう構成されている。
【００１４】
制御部１３は、これに限らず、分割された表示領域の各表示図柄１８ａ，１８ｂ，１８ｃが特定の組み合わせになった際に、可変表示装置１８の分割された表示領域の最外側の表示図柄１８ａの指定部１９が指示するラウンド数をラウンド確定数とするよう構成してもよい。
制御部１３は、特定入賞口１５へ入賞すると、入賞信号を受けて、可変表示装置１８に制御信号を出力し、それにより、円形の中心を同心とする大小の円により３つ並んで分割された表示領域の表示図柄１８ａ，１８ｂ，１８ｃを可変表示可能にし、かつ、分割された表示領域の３つの表示図柄１８ａ，１８ｂ，１８ｃが特定の組み合わせになった場合にフィーバ状態（可変入賞口がラウンド回数分だけ開閉動作を繰り返し、入賞の容易な特別状態）に成るよう構成されている。
【００１５】
稼動回数設定装置２０は、特定入賞口１５に入賞した場合に、該入賞した玉の玉数に対応して可変表示装置１８の分割された表示領域の表示図柄１８ｂの稼働回数を主記憶部である権利保留部３０に書き込むもので、制御部１３が行っているが、専用の制御部を設けても良い。権利保留部３０に書き込まれる稼動回数は、最大保留数が「４」であり、稼働回数の数値は、比較器である権利実行部４０で最大保留数「４」と比較され、最大保留数「４」より大きい数値であると、権利無効部６０から制御信号が権利保留部３０に出力され、「５」以上の数値は書き込み不能に構成されている。最大保留数は「４」に限らず、「４」より大きくても「４」より小さくてもよい。
【００１６】
可変表示装置１８の上方には保留表示部７０が設けられている。保留表示部７０は４つのランプを有し、権利保留部３０に書き込まれた稼働回数が保留表示部７０のランプの点灯した数となって表示される。
権利実行部４０は比較器であり、権利保留部３０に書き込まれた稼働回数が「１」以上であれば、権利実行部４０は可変表示装置１８に制御信号を出力して、可変表示装置１８が可変表示する。また、制御部１３は、権利実行部４０が可変表示装置１８に制御信号を出力すると、演算部５０に制御信号を出力するもので、それにより、演算部５０は権利保留部３０に書き込まれた稼働回数から「１」を減算し、かつ、保留表示部７０はその点灯ランプを１つ滅灯する。このようにして、可変表示装置１８が可変表示していき、権利保留部３０に書き込まれた稼働回数が減算されていき、権利保留部３０に書き込まれた未稼働回数が「０」になると、権利実行部４０から可変表示装置１８への制御信号が出力停止される。
次に作用を説明する。
図３に示すように、ステップ１において、特定入賞口１５いわゆるチャッカーに入賞すると、ステップ２において、可変表示装置１８が稼働中か否かを判断する。可変表示装置１８が稼働中でないと判断されると、ステップ３において、制御部１３が可変表示装置１８に制御信号を出力し、可変表示装置１８が駆動する。
可変表示装置１８が稼働中であると判断されると、ステップ１４において、権利実行部４０が権利保留部３０に書き込まれた未稼働回数が「４」より大きいか否を判断する。図示省略した入賞玉センサは逐次制御部１３に入賞信号を出力し、入賞信号が出力されると、演算部５０が、入賞した玉の数に対応する新たな未稼働回数例えば「２」と元の未稼働回数例えば「２」とを加算し、加算された未稼働回数「４」が権利保留部３０に書き込まれる。また、保留表示部７０のランプが４つ点灯する。
【００１７】
未稼働回数が「４」より大きい場合、ステップ１５において、権利無効部６０は、未稼働回数の最大数値「４」を権利保留部３０に書き込み、「５」以上の未稼働回数に相当する権利が廃棄される。一方、未稼働回数が「４」以下である場合、ステップ１６において、権利保留部３０に書き込まれた未稼働回数分の権利が保留される。特定入賞口１５に玉が入賞していると、演算部５０が、入賞した玉の数に対応する新たな未稼働回数例えば「２」と元の未稼働回数例えば「２」とを加算し、加算された未稼働回数「４」が権利保留部３０に書き込まれる。また、保留表示部７０のランプが４つ点灯する。
権利が保留されると、ステップ１３において、演算部５０が実行されていない権利が保留されているか否かを判断し、権利が保留されていれば、ステップ２に戻り、再び可変表示装置１８が稼働中か否かが判断される。
【００１８】
ステップ３において、分割された３つの表示領域の表示図柄１８ａ，１８ｂ，１８ｃが稼働して、可変表示するようになり、ステップ４からステップ５において、分割された表示領域の最内側の表示図柄１８ｃが停止し、次に、中側の表示図柄１８ｂが停止する。また、可変表示装置１８が稼働すると、演算部５０が未稼働回数例えば「４」から「１」を減算し、減算した未稼働回数「３」を権利保留部３０に書き込む。
【００１９】
ステップ６において、演算部５０が分割された表示領域の最内側および中側の表示図柄１８ｃ，１８ｂが特定の組み合わせであるか否かを判断し、特定の組み合わせであると、ステップ７において、制御部１３が可変表示装置１８に制御信号を出力し、分割された表示領域の最外側の表示図柄１８ａがその回転速度を変化させて可変表示される、いわゆる、リーチ動作を行なう。次に、ステップ８において、分割された表示領域の最外側の表示図柄１８ａが停止する。一方、特定の組み合わせでないと、ステップ６からステップ８に直接移行する。
【００２０】
ステップ９において、演算部５０が３つの分割された表示領域の表示図柄１８ａ，１８ｂ，１８ｃが特定の組み合わせであるか否かを判断する。３つの分割された表示領域の表示図柄１８ａ，１８ｂ，１８ｃが、図６に示すように、特定の組み合わせになると、ステップ１０において、制御部１３が３つの分割された表示領域の表示図柄１８ａ，１８ｂ，１８ｃを特定の組み合わせ状態に維持したまま全体的に回転駆動制御し、ステップ１１において、制御部１３は、可変表示装置１８が回転停止して指定部１９が指示したラウンド確定数分だけ、可変入賞口を開閉動作させ特別状態、すなわち、大当たり状態にする。
３つの分割された表示領域の表示図柄１８ａ，１８ｂ，１８ｃが特定の組み合わせにならない場合は、ステップ１２において、一単位ゲームが終了し、ステップ１３において、演算部５０が未稼働回数が有るか否かを判断し、未稼働回数な無ければ、ステップ１に戻る。未稼働回数が有れば、ステップ２に戻る。
保留表示部７０に現時点での未稼動回数が表示されるため、遊技者にとっては、未稼働回数が残っている間に、可変表示装置１８が特定の組み合わせになり、特別状態に成るか否か、また、ラウンド確定数が幾つになるかが大きな関心となる。
前記実施例によれば、権利無効部６０を設けたために、短時間で特定入賞口１５に連続的に入賞した際に、権利保留部３０への未稼動回数の無制限の増加を防止することができる。
【００２１】
【発明の効果】
本発明にかかるパチンコ機によれば、円形状の液晶表示部を備え、特定入賞口への入賞を契機に、該円形状の液晶表示部は円形の中心を同心とする大小の円により３つに分割された表示領域からなり、分割された３つの表示領域の各表示図柄の各々が他の２つの表示図柄に対してそれぞれ相対回転するように可変表示し、分割された表示領域の各表示図柄が所定の相対角度位置に停止して各表示図柄が特定の組み合わせになった場合に、特別状態にするようにした。このように特別状態になるまでの過程が円形状の液晶表示部によって目新しくなり、遊技者の興趣を呼び起こし、遊技性を高めることができる。
更に、本発明に係るパチンコ機によれば、円形状の液晶表示部の外周に、可変入賞口を開成させる回数を表すラウンド数を複数種表示するラウンド数抽選欄を設け、
前記円形液晶表示部の前記分割された表示領域の外側の表示領域に、前記ラウンド数を指示する指定部を表示し、
前記制御部は、前記分割された表示領域の各図柄が所定の相対角度位置に停止して各図柄が特定の組み合わせになった際に、前記指定部が指示するラウンド数をラウンド確定数とするように構成しているのでラウンド数が初めから一定かつ確定的でなく、分解された各表示図柄が特定の組み合わせになった特別状態になった際に、始めて指定部が指定するラウンド数をラウンド確定数とするため、遊技者は大きな期待をもって、特別状態および最多のラウンド数を獲得しようとし、興趣を高めることができる。
【図面の簡単な説明】
【図１】本発明の一実施例を示すパチンコ機の要部正面図である。
【図２】本発明の一実施例を示すパチンコ機の稼働回数設定装置の回路図である。
【図３】本発明の一実施例を示すパチンコ機のフローチャートである。
【図４】本発明の一実施例を示すパチンコ機の可変表示装置の正面図である。
【図５】本発明の一実施例を示すパチンコ機の可変表示装置の概念図である。
【図６】本発明の一実施例を示すパチンコ機の可変表示装置の正面図である。
【符号の説明】
１０…パチンコ機
１２…盤面
１５…特定入賞口
１７…ラウンド数抽選欄
１８…可変表示装置
１８ａ，１８ｂ，１８ｃ…表示図柄
１９…指定部
２０…稼動回数設定装置
３０…権利保留部
４０…権利実行部
５０…演算部
６０…権利無効部
７０…保留表示部
【図１】
0003789500.tif 000002
【図２】
0003789500.tif 000003
【図３】
0003789500.tif 000004
【図４】
0003789500.tif 000005
【図５】
0003789500.tif 000006
【図６】
0003789500.tif 000007